(57)【要約】  【課題】  必要に応じて引き綱の長さを綱部の全長Ｌに対して略Ｌ／２、Ｌ／４等に調節することができる利便性に優れた引き綱用結合具、及び、犬等の首輪に係着したまま長さを容易に変更でき散歩の際や繋留する場合等の状況に応じて使い分けができる引き綱を提供することを目的とする。  【解決手段】  本考案の引き綱用結合具１は、ａ．犬等の首輪に脱着自在に係着される首輪係着部２と、ｂ．首輪係着部２の基端部に固定又は係着され引き綱の一端部が結着される環状連結部５と、ｃ．環状連結部５に固定又は係着された連結部７と引き綱が挿通される挿通部６ａとを有する長さ調節部６とを備えた構成を有する。本考案の引き綱は、引き綱用結合具１と、一端部が引き綱用結合具１に結着された綱部と、綱部の他端部に結着された係着部とを備えた構成を有する。【選択図】  図１
0003127735.tif 000002
【実用新案登録請求の範囲】
【請求項１】
ａ．犬等の首輪に脱着自在に係着される首輪係着部と、ｂ．前記首輪係着部の基端部に固定又は係着され引き綱の一端部が結着される環状連結部と、ｃ．前記環状連結部に固定又は係着された連結部と前記引き綱が挿通される挿通部とを有する長さ調節部とを備えていることを特徴とする引き綱用結合具。
【請求項２】
前記長さ調節部が、長円形状、楕円形状、又は水滴形状の環状に形成され、その長手方向の一端部に前記連結部が、他端部に前記挿通部が形成されていることを特徴とする請求項１に記載の引き綱用結合具。
【請求項３】
前記長さ調節部が、前記挿通部の一部に形成された開口部と、前記開口部に開閉自在に配設された引き綱係着用開閉部とを備えていることを特徴とする引き綱用結合具。
【請求項４】
請求項１乃至３の内いずれか１項に記載の引き綱用結合具と、一端部が前記引き綱用結合具の前記環状連結部又は前記長さ調節部に結着された綱部と、前記綱部の他端部に結着され前記綱部の所定部又は前記環状連結部又は前記長さ調節部に脱着自在に係着される係着部とを備えていることを特徴とする引き綱。
【請求項５】
前記綱部が前記長さ調節部の前記挿通部に挿通されていることを特徴とする請求項４に記載の引き綱。
【考案の詳細な説明】
【技術分野】
【０００１】
本考案は、犬等の首輪に引き綱を結合するための引き綱用結合具及びそれを備えた引き綱に関する。
【背景技術】
【０００２】
犬等を散歩させる場合や繋留する場合等に用いられる引き綱としては、１．５ｍ程度の長いものや０．７ｍ程度の短いものが一般に市販されている。犬等を飼い主の近くに従えて歩く場合は他の歩行者や走行する自動車の邪魔にならないように短い引き綱が便利であるが、散歩中に糞を処理する場合等のように一時的にどこかに繋いでおく場合には長い引き綱が便利である。しかしながら、市販されている引き綱は一端部が把持や掛止のために環状に形成され他端部に首輪に係着される係着部を有しているだけなのでその長さを変更することはできなかった。なお、簡易的に長い引き綱を手に巻き付けて短くして使用したり、引き綱を巻き取るリール装置を用いたりすることもできるが、巻き付けた手に不快感や違和感があり、また、リール装置は手元で嵩張ったり或いは装置内部で綱が絡まったりし易く使用性に欠けるという問題点があった。
【０００３】
引き綱の長さ調節を可能とする技術として、特許文献１に開示されたものがある。特許文献１には「長さ調節金具を有する丸紐組織の犬の引き綱であって、前記長さ調節金具が、中央部に引き綱の後端部を掛止するブリッジ部と、両端部に引き綱の中間部を引き通す通し穴とを有し、全体として略Ｖ字状に形成されていることを特徴とする犬の引き綱」が開示されている。
【０００４】
【特許文献１】実開昭６２−２７４６１号公報
【考案の開示】
【考案が解決しようとする課題】
【０００５】
しかしながら、上記従来の技術では以下のような課題を有していた。
（１）一般的な犬等の引き綱では、状況に応じてその長さを短くしたり長くしたりすることができず利便性に欠けるという課題を有していた。
（２）特許文献１の犬の引き綱では、引き綱の全長Ｌ０に対して長さ調節可能な範囲は略Ｌ０／２〜Ｌ０であり範囲が狭く、特に、最も短い場合でも略Ｌ０／２でそれ以上短くすることはできず、全長が長いと散歩の際に飼い主の近くに従えて歩くことが困難で、他の歩行者や走行する自動車の邪魔になり易いという課題を有していた。
（３）また、長さ調節のために引き綱を所定部で折り曲げると共に後端部を引き綱の中間部に長さ調節金具を用いて掛止しており、その掛止構造は通し穴の内縁に引き綱を引っ掛けているだけなので、繰り返し使用すると引き綱の表面が磨耗して引っ掛かり難くなり、散歩時や繋留時等に長さ調節金具の位置が移動して長さが変わってしまうという課題を有していた。
【０００６】
本考案は、上記従来の課題を解決するもので、必要に応じて引き綱の長さを綱部の全長Ｌに対して略Ｌ／２、Ｌ／４等に調節することができる利便性に優れた引き綱用結合具、及び、犬等の首輪に係着したまま長さを容易に変更でき散歩の際や繋留する場合等の状況に応じて使い分けができる引き綱を提供することを目的とする。
【課題を解決するための手段】
【０００７】
上記課題を解決するために本考案の引き綱用結合具は以下の構成を有している。
本考案の請求項１に記載の引き綱用結合具は、ａ．犬等の首輪に脱着自在に係着される首輪係着部と、ｂ．前記首輪係着部の基端部に固定又は係着され引き綱の一端部が結着される環状連結部と、ｃ．前記環状連結部に固定又は係着された連結部と前記引き綱が挿通される挿通部とを有する長さ調節部とを備えた構成を有している。
【０００８】
この構成により、以下のような作用を有する。
（１）長さ調節部が綱部を挿通する挿通部を有しているので、環状連結部に結着した引き綱の綱部を挿通部で折り返して束ねることで、必要に応じて引き綱の長さを綱部の全長Ｌに対して略Ｌ／４に調節することができる。
（２）挿通部に予め綱部を挿通させておくことで、首輪係着部を犬等の首輪に係着したままで引き綱の長さを略Ｌ／２や略Ｌ／４等に容易に変更できる。
（３）引き綱の長さを略Ｌ／４にした場合、綱部の折り返し部分が長さ調節部の挿通部に係止されるので、従来の長さ調節金具のように引き綱の長さが不意に変化することがなく、長さを調節した状態で安定して使用できる。
（４）引き綱の長さを略Ｌ／４にした状態において、把持部側の２つの環状部分を左右の手で各々把持し、各環状部分の長さを個別に変化させる（一方を短くし他方を長くする）ことで、少なくとも一方の環状部分の長さをＬ／４以下に任意に調節することができ、散歩中等に歩行者や自動車を避けるために犬等を側近くに迅速に引き寄せることができる。
【０００９】
ここで、首輪係着部としては、首輪に予め設けられた環状金具等に係止される鉤状部と、鉤状部に該金具等を挿入するための開口部を開閉する開閉部とを備えた、いわゆるナス環等が用いられる。
長さ調節部としては、引き綱を挿通可能な大きさを有する略三角形や矩形等の多角形、円形、楕円形、長円形、水滴形等の環状部材が用いられる。なお、長さ調節部は、挿通部を構成する環状部材に連結部を構成する環状部材を結合したものでもよく、挿通部を構成する環状部材の一部を連結部として用いるものでもよい。
【００１０】
本考案の請求項２に記載の考案は、請求項１に記載の引き綱用結合具であって、前記長さ調節部が、長円形状、楕円形状、又は水滴形状の環状に形成され、その長手方向の一端部に前記連結部が、他端部に前記挿通部が形成された構成を有している。
【００１１】
この構成により、請求項１の作用に加え、以下のような作用を有する。
（１）犬等の牽引力が環状の長さ調節部の長手方向にかかるので、変形したり破損したりし難く耐久性に優れる。
（２）長さ調節部の引き綱の接触部分が円弧状に形成されているので、引き綱の接触や擦れによる磨耗や破断を防止できる。
【００１２】
本考案の請求項３に記載の考案は、請求項１又は２に記載の引き綱用結合具であって、前記長さ調節部が、前記挿通部の一部に形成された開口部と、前記開口部に開閉自在に配設された引き綱係着用開閉部とを備えた構成を有している。
【００１３】
この構成により、請求項１の作用に加え、以下のような作用を有する。
（１）引き綱係着用開閉部を備えているので、引き綱の長さを略Ｌ／４にした場合、挿通部に挿通され係止された引き綱の折り返し部分を開口部を介して脱着でき、犬等を立木や柱等に繋留する作業を容易に行うことができる。
【００１４】
本考案の請求項４に記載の引き綱は、請求項１乃至３の内いずれか１項に記載の引き綱用結合具と、一端部が前記引き綱用結合具の前記環状連結部又は前記長さ調節部に結着された綱部と、前記綱部の他端部に結着され前記綱部の所定部又は前記環状連結部又は前記長さ調節部に脱着自在に係着される係着部とを備えた構成を有している。
【００１５】
この構成により、以下のような作用を有する。
（１）綱部を略中間部で折り返して環状連結部等に係着したり、引き綱の綱部を挿通部で折り返して束ねたりすることで、必要に応じて引き綱の長さを綱部の全長Ｌに対して略Ｌ／２、Ｌ／４等に調節することができるので、散歩の際、他の歩行者や走行する自動車が多い場合は引き綱を短くして犬等を飼い主の近くに従えて歩くことができ、散歩中に糞を処理する場合等のように一時的にどこかに繋いでおく場合は引き綱を長くして繋留を容易に行ったり犬等の移動範囲を広くしたりすることができ、状況に応じて使い分けができ利便性に優れる。
（２）綱部を束ねて使用することで中型〜大型犬等の強い牽引力にも十分耐えることができ耐久性に優れると共に汎用性に優れる。
（３）引き綱の長さを略Ｌ／４にした状態において、把持部側の２つの環状部分を左右の手で各々把持し、各環状部分の長さを個別に変化させる（一方を短くし他方を長くする）ことで、少なくとも一方の環状部分の長さをＬ／４以下に任意に調節することができ、散歩中等に歩行者や自動車を避けるために犬等を側近くに迅速に引き寄せることができる。
【００１６】
係着部としては、請求項１で説明した首輪係着部と同様のものが用いられるが、開閉部を鉤状部に対して外側に開くものが特に好ましい。径の大きい綱部であっても容易に脱着できるためである。
【００１７】
本考案の請求項５に記載の考案は、請求項４に記載の引き綱であって、前記綱部が前記長さ調節部の前記挿通部に挿通された構成を有している。
【００１８】
この構成により、請求項４の作用に加え、以下のような作用を有する。
（１）綱部が挿通部に挿通されているので、首輪係着部を犬等の首輪に係着したままで引き綱の長さを容易に変更できる。
【考案の効果】
【００１９】
以上説明したように本考案によれば、以下のような有利な効果が得られる。
請求項１に記載の考案によれば、
（１）環状連結部に結着した引き綱の綱部を挿通部で折り返して束ねることで、必要に応じて引き綱の長さを綱部の全長Ｌに対して略Ｌ／４に調節することができ利便性に優れる。
（２）挿通部に予め綱部を挿通させておくことで、首輪係着部を犬等の首輪に係着したままで引き綱の長さを容易に変更できる。
（３）引き綱の長さを略Ｌ／４にした場合、綱部の折り返し部分が長さ調節部の挿通部に係止されるので、引き綱の長さが不意に変化することがなく、長さを調節した状態で安定して使用できる。
（４）引き綱の長さを略Ｌ／４にした状態において、把持部側の２つの環状部分の長さを個別に変化させることで、少なくとも一方の環状部分の長さをＬ／４以下に任意に調節することができ、散歩中等に犬等を側近くに迅速に引き寄せることができ、不意に歩行者や自動車が近づいてきた場合でも対応できる。
【００２０】
請求項２に記載の考案によれば、請求項１の効果に加え、
（１）犬等の牽引力が環状の長さ調節部の長手方向にかかるので、変形したり破損したりし難く耐久性に優れる。
（２）長さ調節部の引き綱の接触部分が円弧状に形成されているので、引き綱の接触や擦れによる磨耗や破断を防止できる。
【００２１】
請求項３に記載の考案によれば、請求項１又は２の効果に加え、
（１）引き綱係着用開閉部を備えているので、引き綱の長さを略Ｌ／４にした場合、挿通部に挿通され係止された引き綱の折り返し部分を開口部を介して脱着でき、立木や柱等への繋留作業を容易に行うことができる。
【００２２】
請求項４に記載の考案によれば、
（１）綱部を略中間部で折り返して環状連結部等に係着したり、引き綱の綱部を挿通部で折り返して束ねたりすることで、必要に応じて引き綱の長さを綱部の全長Ｌに対して略Ｌ／２、Ｌ／４等に調節することができるので、状況に応じて使い分けができ利便性に優れる。
（２）綱部を束ねて使用することで中型〜大型犬等の強い牽引力にも十分耐えることができ耐久性に優れると共に汎用性に優れる。
（３）引き綱の長さを略Ｌ／４にした状態において、把持部側の２つの環状部分の長さを個別に変化させることで、少なくとも一方の環状部分の長さをＬ／４以下に任意に調節することができ、散歩中等に犬等を側近くに迅速に引き寄せることができ、不意に歩行者や自動車が近づいてきた場合でも対応できる。
【００２３】
請求項５に記載の考案によれば、請求項４の効果に加え、
（１）綱部が挿通部に挿通されているので、首輪係着部を犬等の首輪に係着したままで引き綱の長さを容易に変更できる。
【考案を実施するための最良の形態】
【００２４】
以下、本考案の一実施の形態について、図１乃至図７を用いて説明する。
（実施の形態１）
図１（ａ）は本実施の形態１における引き綱用結合具の平面図であり、図１（ｂ）は本実施の形態１における引き綱用結合具の側面図であり、図２（ａ）は引き綱用結合具の変形例の平面図であり、図２（ｂ）は引き綱用結合具の変形例の側面図である。
図１及び図２中、１は鉄、アルミニウム又はその合金等の金属やポリカーボネート等の合成樹脂で形成された本実施の形態１における引き綱用結合具、２は犬等の首輪に係着される首輪係着部、３は首輪係着部２の先端部に形設された湾曲状の鉤状部、４は鉤状部３の開口部３ａに開閉自在に配設された開閉部、５は首輪係着部２の基端部に軸部５ａを介して回動自在に軸着されたＤ字状の環状連結部、６は環状連結部５を介して首輪係着部２に連結され先端部Ａ側に向かって幅広の水滴状や略長円状の環状に形成された長さ調節部、６ａは後述の引き綱の中間部が挿通される長さ調節部６の挿通部、７は長さ調節部６の基端部にリング状に形設され環状連結部５に係着された連結部である。また図２中、７ａは長さ調節部６の基端部を環状連結部５に軸着する軸状連結部である。
【００２５】
首輪係着部２としては、鉤状部３とその開口部３ａに配設された開閉部４とを備えた、いわゆるナス環が用いられる。
【００２６】
長さ調節部６の挿通部６ａは後述の引き綱を挿通することができるように、その先端部Ａ側の幅Ｂが引き綱の太さの略１．５〜４倍程度に形成されている。また、引き綱が接触する先端部Ａの内周部は円弧状に形成されている。引き綱の接触や擦れによる磨耗や破断を防止するためである。
【００２７】
長さ調節部６の連結部７としてはリング状に限定されるものではなく、例えば、図２に示すように、軸状連結部７ａにより長さ調節部６を環状連結部５に軸着し、軸方向に回動自在に連結することもできる。
【００２８】
以上のように構成された本実施の形態１における引き綱用結合具１について、以下その使用方法を図３乃至図５を用いて説明する。
図３（ａ）は引き綱の使用状態を示す説明図であり、図３（ｂ）は係着部を開いた状態を示す拡大図であり、図４は引き綱を綱部の全長Ｌに対して長さ略Ｌ／２で使用する場合の使用状態を示す説明図であり、図５（ａ）は引き綱を綱部の全長Ｌに対して長さ略Ｌ／４で使用する場合の動作を説明する説明図であり、図５（ｂ）は引き綱を長さ略Ｌ／４で使用する場合の使用状態を示す説明図である。
図３乃至図５中、１３は犬等の引き綱、１４は帯状体や縄体等からなり長さ調節部６の挿通部６ａに挿通された状態で一端部が環状連結部５に結着された綱部、１５は綱部１４の他端部に結着され綱部１４の所定部又は環状連結部５或いは長さ調節部６に脱着自在に係着される係着部である。図３（ｂ）において、１６は係着部１５の先端部に形設された鉤状部、１７は鉤状部１６に開閉自在に配設された鉤状の開閉部、１７ａは開閉部１７に形設されたつまみ、１８は係着部１５の基端部に形設され綱部１４の他端部が結着された環状結着部である。
【００２９】
係着部１５に綱部１４の所定部等を係着するには、つまみ１７ａを押圧して開口部１６ａ（図３（ｂ）参照）を開き、綱部１４の所定部を鉤状部１６の内部に挿入した後、弾性部材（図示せず）の付勢力により開閉部４を閉じる。
【００３０】
引き綱１３を使用する場合、図３に示すように係着部１５を綱部１４の所定部に係着し環状部分Ｃを形成する。そして、引き綱用結合具１の首輪係着部２を犬等の首輪に結着する。これにより、環状部分Ｃを把持部として引き綱１３を使用することができる。なお、この時の引き綱１３の長さは綱部１４の全長Ｌより環状部分Ｃの折り返し分だけ短い長さとなる。
【００３１】
また、綱部１４を立木や柱等に周回させて係着部１５を綱部１４に係着することで犬等を一時的に繋留することができ、散歩中等の繋留作業を容易に行うことができる。
【００３２】
引き綱１３を長さ略Ｌ／２で使用する場合、図４に示すように、綱部１４を略中間部Ｄで折り返し、係着部１５を引き綱用結合具１の環状連結部５に係着する。そして、引き綱用結合具１の首輪係着部２を犬等の首輪に結着する。これにより、折り返した略中間部Ｄ（折り返し部Ｄ）を把持部や繋留のための掛止部として引き綱１３を長さ略Ｌ／２で使用することができる。なお、この場合、係着部１５を環状連結部５でなく長さ調節部６に係着してもよい。
【００３３】
引き綱１３を長さ略Ｌ／４で使用する場合、図５（ａ）に示すように、綱部１４の環状連結部５への結着部分近傍Ｅを引き出し、環状部分Ｆに重ねる。この時、図５（ｂ）に示すように、綱部１４の略中間部Ｄは長さ調節部６の挿通部６ａに係止される。そして、引き綱用結合具１の首輪係着部２を犬等の首輪に結着する。これにより、環状部分Ｅ′，Ｆ′の端部を把持部や繋留のための掛止部として引き綱１３を長さ略Ｌ／４で使用することができる。
また、犬等の散歩中に環状部分Ｅ′を左手で把持しＦ′を右手で把持し、各環状部分Ｅ′，Ｆ′の長さを個別に適宜変化させる（一方を短くし他方を長くする）ことで、少なくとも一方の環状部分Ｅ′，Ｆ′の長さをＬ／４以下に任意に調節することができる。これにより、散歩中等に犬等を側近くに容易に引き寄せることができ、不意に歩行者や自動車が近づいてきた場合でも迅速に対応できる。
【００３４】
なお、本実施の形態１においては、引き綱１３の長さを調節した後、犬等の首輪に結着する場合について説明したが、これに限られるものではなく、予め首輪係着部２を首輪に結着した状態で、引き綱１３の長さを変更することもできる。例えば、引き綱１３を長さ略Ｌで使用して犬等を散歩させている時、歩行者や自動車の多い場所では上述したようにして引き綱１３を長さ略Ｌ／４にして犬等を飼い主の側近くに従えて歩くことができる。
【００３５】
以上のように本実施の形態１における引き綱用結合具１及び引き綱１３は構成されているので、以下のような作用を有する。
（１）引き綱用結合具１が、犬等の首輪に結着される首輪係着部２と、環状連結部５を介して首輪係着部２に連結された長さ調整部６とを備えているので、必要に応じて引き綱１３の長さをその綱部１４の全長Ｌに対して略Ｌ／２、Ｌ／４等に調節することができ、散歩の際、他の歩行者や走行する自動車が多い場合は引き綱を短くして犬等を飼い主の側近くに従えて歩くことができ、散歩中に糞を処理する場合等のように一時的にどこかに繋いでおく場合は引き綱を長くして繋留を容易に行ったり犬等の移動範囲を広くしたりすることができ、状況に応じて使い分けができ利便性に優れる。
（２）長さ調節部６が綱部１４を挿通する挿通部６ａを有しているので、綱部１４の所定部を挿通部６ａで折り返して容易に長さ調節できる。また、予め綱部１４が挿通部６ａに挿通されているため、首輪係着部２を犬等の首輪に係着したままで長さ調節できる。
（３）綱部１４を折り返して束ねることで長さ調節を行うので、従来の長さ調節金具のように引き綱１３の長さが不意に変化することがなく、長さを調節した状態で安定して使用できる。
（４）長さ調節部６が、長円形状や水滴形状の環状に形成され、その長手方向の一端部に連結部７が形成され、他端部に挿通部６ａが形成されているので、犬等の牽引力が長さ調節部６の長手方向にかかるため、変形したり破損したりし難く耐久性に優れると共に、綱部１４の接触部分が円弧状に形成されているので、綱部１４の磨耗や破断を防止できる。
（５）綱部１４を束ねて使用することで中型〜大型犬等の強い牽引力にも十分耐えることができ耐久性に優れると共に汎用性に優れる。
【００３６】
（実施の形態２）
図６（ａ）は本実施の形態２における引き綱用結合具の平面図であり、図６（ｂ）は本実施の形態２における引き綱用結合具の側面図であり、図７は引き綱を綱部の全長Ｌに対して長さ略Ｌ／４で使用する場合の立木や柱等への繋留方法を示す説明図である。
図中、２は結着部、３は鉤状部、４は開閉部、５は環状連結部、６は長さ調節部、６ａは挿通部、７は連結部、１４は綱部、１５は係着部であり、実施の形態１で説明したので説明を省略する。１ａは本実施の形態２における引き綱用結合具、８は長円状の環状に形成された長さ調節部６の一部に形成された開口部、９は長さ調節部６に軸着され開口部８に開閉自在に付勢され配設された引き綱係着用開閉部、９ａは引き綱係着用開閉部９の回動軸、１０はねじりコイルばね等の弾性部材である。
【００３７】
以上のように構成された本実施の形態２における引き綱用結合具１ａ及び引き綱１３ａが実施の形態１と異なる点は、長さ調節部６が開口部８と引き綱係着用開閉部９を備えている点である。
【００３８】
図７に示すように、開いた開口部８を介して綱部１４の折り返し部Ｄを脱着できる。折り返し部Ｄを長さ調節部６から外して繋留部Ｇに周回させ、再び長さ調節部６に係着することで、繋留作業を容易に行うことができる。
なお、引き綱用結合具１ａの基本的な使用方法は実施の形態１で説明したものと同様であるので、説明を省略する。
【００３９】
以上のように本実施の形態２における引き綱用結合具１ａ及び引き綱１３ａは構成されているので、実施の形態１の作用に加え、以下のような作用を有する。
（１）長さ調節部６が、挿通部６ａに形成された開口部８と、開口部８に開閉自在に配設された引き綱係着用開閉部９とを備えているので、引き綱１３ａの長さを綱部１４の略Ｌ／４にして使用する場合、挿通部６ａに挿通され係止された折り返し部Ｄを開口部８を介して脱着でき、犬等を立木や柱等の繋留部Ｇに繋留する作業を容易に行うことができる。
【産業上の利用可能性】
【００４０】
以上説明したように、本考案は、犬等の首輪に引き綱を結合するための引き綱用結合具及びそれを備えた引き綱に関し、特に本考案によれば、必要に応じて引き綱の長さを綱部の全長Ｌに対して略Ｌ／２、Ｌ／４等に調節することができる利便性に優れた引き綱用結合具、及び、犬等の首輪に係着したまま長さを容易に変更でき散歩の際や繋留する場合等の状況に応じて使い分けができる引き綱を提供することができる。
【図面の簡単な説明】
【００４１】
【図１】（ａ）実施の形態１における引き綱用結合具の平面図（ｂ）実施の形態１における引き綱用結合具の側面図
【図２】（ａ）引き綱用結合具の変形例の平面図（ｂ）引き綱用結合具の変形例の側面図
【図３】（ａ）引き綱の使用状態を示す説明図（ｂ）係着部を開いた状態を示す拡大図
【図４】引き綱を綱部の全長Ｌに対して長さ略Ｌ／２で使用する場合の使用状態を示す説明図
【図５】（ａ）引き綱を綱部の全長Ｌに対して長さ略Ｌ／４で使用する場合の動作を説明する説明図（ｂ）引き綱を長さ略Ｌ／４で使用する場合の使用状態を示す説明図
【図６】（ａ）実施の形態２における引き綱用結合具の平面図（ｂ）実施の形態２における引き綱用結合具の側面図
【図７】引き綱を綱部の全長Ｌに対して長さ略Ｌ／４で使用する場合の立木や柱等への繋留方法を示す説明図
【符号の説明】
【００４２】
１，１ａ  引き綱用結合具
２  首輪係着部
３  鉤状部
３ａ  開口部
４  開閉部
５  環状連結部
５ａ  軸部
６  長さ調節部
６ａ  挿通部
７  連結部
７ａ  軸状連結部
８  開口部
９  引き綱係着用開閉部
９ａ  回動軸
１０  弾性部材
１３，１３ａ  引き綱
１４  綱部
１５  係着部
１６  鉤状部
１６ａ  開口部
１７  開閉部
１７ａ  つまみ
１８  環状結着部
【図１】
0003127735.tif 000003
【図２】
0003127735.tif 000004
【図３】
0003127735.tif 000005
【図４】
0003127735.tif 000006
【図５】
0003127735.tif 000007
【図６】
0003127735.tif 000008
【図７】
0003127735.tif 000009
【手続補正書】
【提出日】平成18年10月17日(2006.10.17)
【手続補正１】
【補正対象書類名】実用新案登録請求の範囲
【補正対象項目名】請求項３
【補正方法】変更
【補正の内容】
【請求項３】
前記長さ調節部が、前記挿通部の一部に形成された開口部と、前記開口部に開閉自在に配設された引き綱係着用開閉部とを備えていることを特徴とする請求項１又は２に記載の引き綱用結合具。
【手続補正２】
【補正対象書類名】明細書
【補正対象項目名】００１３
【補正方法】変更
【補正の内容】
【００１３】
この構成により、請求項１又は２の作用に加え、以下のような作用を有する。
（１）引き綱係着用開閉部を備えているので、引き綱の長さを略Ｌ／４にした場合、挿通部に挿通され係止された引き綱の折り返し部分を開口部を介して脱着でき、犬等を立木や柱等に繋留する作業を容易に行うことができる。